【事件の表示】
　特願２０１６−５４１９６１「モバイル通信装置およびその動作方法」拒絶査定不服審判事件〔平成２７年　３月１９日国際公開，ＷＯ２０１５／０３８２２１，平成２９年　１月１２日国内公表，特表２０１７−５０１４９８〕について，次のとおり審決する。
【結　論】
　本件審判の請求は，成り立たない。
【理　由】
第１．手続の経緯
　本願は，２０１４年７月１日（パリ条約による優先権主張外国庁受理２０１３年９月１２日　アメリカ合衆国）を国際出願日とする出願であって，
　平成２８年５月１０日付けで特許法第１８４条の４第１項の規定による明細書，請求の範囲，及び，図面（図面の中の説明に限る）の日本語による翻訳文が提出され，平成２９年６月１６日付けで審査請求がなされ，平成３０年４月１０日付けで審査官により拒絶理由が通知され，これに対して平成３０年７月１７日付けで意見書が提出されると共に手続補正がなされたが，平成３０年１２月２０日付けで審査官により拒絶査定がなされ（謄本送達；平成３１年１月４日），これに対して平成３１年４月２６日付けで審判請求がなされると共に手続補正がなされ，令和１年７月１８日付けで審査官により特許法１６４条３項の規定に基づく報告がなされ，令和１年１０月２４日付けで上申書の提出がなされ，令和２年２月１０日付けで当審により拒絶理由が通知され，これに対して令和２年４月２８日付けで意見書が提出されると共に手続補正がなされたものである。
　
第２．本願発明について
　本願の請求項１に係る発明（以下，これを「本願発明」という）は，令和２年４月２８日付けの手続補正により補正された特許請求の範囲の請求項１に記載された，次のとおりのものである。
　
「複数の動作ステータスを有するモバイル通信装置（１０）であって，
　筐体（１２）と，
　前記筐体に接続された入力装置（１７）であって，前記入力装置（１７）を作動することにより，ユーザは前記動作ステータスの変更および検証のうち少なくとも１つを行うことができる，入力装置（１７）と，
　前記入力装置（１７）と通信して接続され，前記モバイル通信装置（１０）の前記動作ステータスに基づいてフィードバックを前記ユーザに提供するように構成されたインジケータ（１９，２１）と，
　を備え，
　第１のペルソナが第２のペルソナと通信して接続されるように，前記モバイル通信装置で実行される前記第１のペルソナに含まれる第１の信頼された実行環境と前記モバイル通信装置で実行される前記第２のペルソナに含まれる第２の信頼された実行環境との間で相互信頼が確立され，
　前記インジケータは，前記モバイル通信装置（１０）で実行されている前記第１のペルソナ（１１０）に関連付けられた第１の視覚的インジケータ（１９）と前記モバイル通信装置（１０）で実行されている前記第２のペルソナ（１２０）に関連付けられた第２の視覚的インジケータ（２１）とを備え，
　前記入力装置（１７）および前記インジケータ（１９，２１）は，前記入力装置および前記インジケータが前記モバイル通信装置（１０）で実行されている信頼されていないコードからアクセス不能であるように，ハードウェアにおいて隔離されている，装置。」
　
第３．当審拒絶理由の概略
　当審による令和２年２月１０日付けの拒絶理由（以下，これを「当審拒絶理由」という）は，概略次のとおりである。
　
「本願の請求項１に係る発明は，引用文献１に記載の発明と，引用文献２，及び，引用文献３に記載の技術事項に基づいて，当業者が容易に発明することができたものである。
　
　引用文献一覧
　１．米国特許出願公開第２０１３／０１１７７４２号明細書（２０１３年５月９日公開）
　２．国際公開第２０１３／０６１１５６号（国際公開日；２０１３年５月２日）
　３．特開２００９−１１６８８９号公報（２００９年５月２８日公開）」
　
第４．引用文献に記載の事項
１．当審拒絶理由に引用された，本願の第１国出願前に既に公知である，米国特許出願公開第２０１３／０１１７７４２号明細書（２０１３年５月９日公開，以下，これを「引用文献１」という）には，関連する図面と共に，次の事項が記載されている。
　
Ａ．「[0030] FIG.1A is a schematic illustration of a mobile device according to one or more embodiments of the invention. 
The mobile device shown in FIG.1A is a personal mobile device 100 having a touch screen 101 and a plurality of keys 102. Personal mobile device 100 may be smartphone, a tablet computing device, and in general any computing device that is portable and configured for wireless connectivity with a network. Personal mobile device 100, conceptually, provides access to a completely separate work mobile device 105 that is generally isolated and operates separately from personal mobile device 100 (illustrated in dashed lines to indicate the work mobile device 105 is running as a software component inside personal mobile device 100). 
 in one embodiment, work mobile device 105 operates as a virtual machine running within a virtualization platform that is itself running on top of the operating system of personal mobile device 100. As further detailed in FIG.1B, personal mobile device 100 comprises hardware 110 that includes a framebuffer 115 that stores display data and drives the user interface display on touch screen 101. Personal mobile device 100 also includes firmware that includes host operating system (OS) 120, and host applications 135 running on top of host OS 120. In one embodiment, host OS 120 is the AndroidＴＭ operating system provided by Google, Inc., and includes a composite window manager 125 (known in the Android operating system as SurfaceFlinger) that manages and controls access by host applications 135 to framebuffer 115 for display of user interfaces on touch screen 101
（【０００７】
　図１Ａは，本発明の１つ又は複数の実施形態による携帯機器の概略図である。
図１Ａに示す携帯機器は，タッチスクリーン１０１及び複数のキー１０２を有する個人用携帯機器１００である。個人用携帯機器１００は，スマートフォン，タブレットコンピューティング装置，及び一般的に携帯可能であり，ネットワークと無線通信するように構成される任意のコンピューティング装置とすることができる。個人用携帯機器１００は，個人用携帯機器１００から全体的に分離され，別々に動作する完全に別の仕事用携帯機器１０５へのアクセスを概念的に提供する（仕事用携帯機器１０５が個人用携帯機器１００内のソフトウェアコンポーネントとして実行されていることを示すために破線で示す）。
一実施形態では仕事用携帯機器１０５が，個人用携帯機器１００のオペレーティングシステム上で実行される仮想化プラットフォーム内で実行される仮想マシンとして動作する。図１Ｂに更に詳細に示すように，個人用携帯機器１００は，表示データを記憶しタッチスクリーン１０１上でユーザインターフェイス表示を駆動する，フレームバッファ１１５を含むハードウェア１１０を含む。個人用携帯機器１００は，ホストオペレーティングシステム（ＯＳ）１２０，及びホストＯＳ１２０上で実行されるホストアプリケーション１３５を含むファームウェアも含む。一実施形態では，ホストＯＳ１２０がグーグル株式会社（Ｇｏｏｇｌｅ，Ｉｎｃ．）によって提供されるアンドロイド（Ａｎｄｒｏｉｄ）（商標）オペレーティングシステムであり，タッチスクリーン１０１上にユーザインターフェイスを表示するための，ホストアプリケーション１３５によるフレームバッファ１１５へのアクセスを管理し制御する，（アンドロイド（Ａｎｄｒｏｉｄ）オペレーティングシステムではサーフェイスフリンガ（ＳｕｒｆａｃｅＦｌｉｎｇｅｒ）として知られる）複合ウィンドウマネージャ１２５を含む。
　
Ｂ．「[0032] As further depicted in FIG.1B , hypervisor 140 also includes a user interface (UI) proxy application 155 that, as further detailed herein, serves as a user interface intermediary between personal mobile device 100 and work mobile device 105 by copying contents of virtual framebuffer 150 into hardware framebuffer 115, when requested, so that the UI environment of work mobile device 105 (hereafter referred to as“work environment”) can be displayed in place of the UI environment of personal mobile device 100 (hereafter referred to as “personal environment”).
[0033]
 FIG.2 illustrates one embodiment of UI environments for personal mobile device 100 and work mobile device 105 and a mechanism for switching between the two. As depicted, a personal environment for personal mobile device 100 includes a personal desktop 210 that includes icons for a variety of installed applications accessible from personal mobile device 100
When the user touches work icon 200 in the personal environment, touch screen 101 switches to a work environment for work mobile device  105  and displays a work desktop 215
（【０００９】
　図１Ｂに更に示すように，ハイパーバイザ１４０は，本明細書で更に詳述するように，個人用携帯機器１００のＵＩ環境（以下，「私的環境」と呼ぶ）の代わりに仕事用携帯機器１０５のＵＩ環境（以下，「仕事環境」と呼ぶ）を表示できるように，仮想フレームバッファ１５０のコンテンツを要求時にハードウェアフレームバッファ１１５内にコピーすることにより，個人用携帯機器１００と仕事用携帯機器１０５との間のユーザインターフェイス媒介として働くユーザインターフェイス（ＵＩ）プロキシアプリケーション１５５も含む。
【００１０】
　
図２は，個人用携帯機器１００及び仕事用携帯機器１０５のＵＩ環境の一実施形態，及びそれらの間で切替えを行うためのメカニズムを示す。図示のように，個人用携帯機器１００の私的環境は，個人用携帯機器１００からアクセス可能な様々なインストール済みアプリケーション用のアイコンを含む個人用デスクトップ２１０を含む
ユーザが私的環境内で仕事アイコン２００に触れると，タッチスクリーン１０１が仕事用携帯機器１０５の仕事環境に切り替わり，仕事用デスクトップ２１５を表示する
　
Ｃ．「[0035] FIG.3A is a flow diagram that illustrates a process of switching from personal mobile device 100 to work mobile device 105. The process includes steps carried out by host OS 120, UI proxy 155, and hypervisor 140 of personal mobile device 100, and steps carried out by VMM 145 of work mobile device 105.
 The process begins at step 302 when host OS 120 (e.g., by way of a launcher application in one embodiment) receives user indication of a switch from personal mobile device 100 to work mobile device 105. The user indication, as noted above, may be a user selection of work icon 200 on personal desktop 210. In response to the user indication of the switch (e.g., selection of work icon 200), at step 304, host OS 120 requests UI proxy 155 to launch or wake up. For example, a launch action associated with work icon 200 causes host OS 120 to launch (or wake up) UI proxy 155 in a manner similar to launch actions for other icons displayed in personal desktop 210 for other applications 135
[0036] At step 306, UI proxy 155, in response to the request from host OS 120, launches or wakes up. Then, at step 308, UI proxy 155 requests hypervisor 140 to present a lock screen display to the user for the submission of credentials (e.g., password, pin, or pattern, etc.) to authenticate himself for access to work mobile device 105. In response, hypervisor 140 carries out user authentication at steps 310 - 316. At step  310 , hypervisor 140 presents a lock screen to the user and prompts the user for credentials for accessing work mobile device 105. If, at step 312, the user fails to provide proper credentials, then authentication fails at step 314. If, at step 312, the user enters proper credentials, hypervisor 140 may launch or otherwise wake up a VMM 145 thread and transmit a virtual power ON command to VMM 145 to wake up work mobile device 105 (step 316).」
（【００１２】
　図３Ａは，個人用携帯機器１００から仕事用携帯機器１０５に切り替えるプロセスを示すフローチャートである。このプロセスは，個人用携帯機器１００のホストＯＳ１２０，ＵＩプロキシ１５５，及びハイパーバイザ１４０によって実行されるステップ，並びに仕事用携帯機器１０５のＶＭＭ１４５によって実行されるステップを含む。
このプロセスは，ホストＯＳ１２０が，（例えば一実施形態ではランチャアプリケーションにより）個人用携帯機器１００から仕事用携帯機器１０５への切替えのユーザ指示を受け取るステップ３０２から始まる。上記のユーザ指示は，個人用デスクトップ２１０上の仕事アイコン２００のユーザによる選択とすることができる。切替えについてのユーザ指示（例えば仕事アイコン２００の選択）に応答し，ステップ３０４で，ホストＯＳ１２０がＵＩプロキシ１５５に起動するか又はウェイクアップするように要求する。例えば，仕事アイコン２００に関連する起動動作は，他のアプリケーション１３５用に個人用デスクトップ２１０内に表示される他のアイコンの動作を起動するのと似た方法で，ホストＯＳ１２０にＵＩプロキシ１５５を起動（又はウェイクアップ）させる
【００１３】
　ステップ３０６において，ＵＩプロキシ１５５が，ホストＯＳ１２０からの要求に応答して起動又はウェイクアップする。次いでステップ３０８で，仕事用携帯機器１０５にアクセスするために自身を認証するために，認証情報（例えばパスワード，ピン，又はパターン等）を提出するためのロックスクリーン表示をユーザに提示するようにＵＩプロキシ１５５がハイパーバイザ１４０に要求する。それに応答して，ステップ３１０〜ステップ３１６において，ハイパーバイザ１４０がユーザ認証を実行する。ステップ３１０で，ハイパーバイザ１４０がロックスクリーンをユーザに提示し，仕事用携帯機器１０５にアクセスするための認証情報をユーザに促す。ステップ３１２で，ユーザが適切な認証情報を与えない場合，ステップ３１４で認証は失敗する。ステップ３１２でユーザが適切な認証情報を入力する場合，ハイパーバイザ１４０はＶＭＭ１４５スレッドを起動し或いはウェイクアップし，仕事用携帯機器１０５をウェイクアップするために仮想的な電源オンコマンドをＶＭＭ１４５に伝送する（ステップ３１６）。）
　
Ｄ．「[0052] 
In addition to switching between personal and work environments utilizing work and personal icons as in FIG.2 or swiping motions as in FIG.4 or utilizing a unified home screen as in FIG. 5A, alternative embodiments may utilize other techniques to switch between personal and work environments. FIGS.6A and 6B illustrate another alternative user interface for such switching. In FIG.6A, personal mobile device 100 includes a notification bar 220 having a work icon 600 for switching the user to work mobile device 105. Similarly, FIG.6B illustrates a user interface for work mobile device 105 that includes notification bar 220 having a personal icon 605 for switching the user to personal mobile device 100
（【００２９】
　
図２にあるような仕事アイコン及び個人アイコン，図４にあるようなスワイプ動作，又は図５Ａにあるような統合ホームスクリーンを利用して私的環境と仕事環境とを切り替えることに加え，代替的実施形態は私的環境と仕事環境とを切り替えるための他の技法を利用しても良い。図６Ａ及び図６Ｂは，かかる切替えのための別の代替的ユーザインターフェイスを示す。図６Ａでは，個人用携帯機器１００が，ユーザを仕事用携帯機器１０５に切り替えるための仕事アイコン６００を有する通知バー２２０を含む。同様に図６Ｂは，ユーザを個人用携帯機器１００に切り替えるための個人アイコン６０５を有する，通知バー２２０を含む仕事用携帯機器１０５のユーザインターフェイスを示す
　
Ｅ．「[0066] It should be recognized that the calendar application examples depicted in FIGS.13A-13C are merely exemplary and that calendar information is just one type of information that can be shared between the personal and work environments at varying levels of detail. For example, contact information is another type of information that can be similarly considered. A user operating in the personal environment may see the names and phone numbers of contacts maintained within work mobile device 105, but may be blocked from obtaining the contact's job title and e-mail address. As such, if a telephone call comes in through the user's personal line but from a work contact, there is sufficient information sharing between the two environments that the work contact can be identified as the originator of the call. Another example where some contact information sharing between the two environments may be useful is telephone calls originated by the user from the personal environment to a work contact or from the work environment to a personal contact. In such cases, there should be a transparent switch in environments so that a telephone call to a personal contact should use the personal wireless subscription plan and a telephone call to a work contact should use the work wireless subscription plan. Another example of an application that can benefit from levels of sharing between personal and work environments are multimedia applications such as a picture gallery application. For example, an employer may allow images from a work-related picture gallery to be accessed by a personal-related picture gallery at lower resolution. For example, if the user's work-related picture gallery includes confidential and detailed architectural designs, a low resolution version of designs that are accessible in the personal environment will not compromise the confidentiality of the designs since the low resolution version will not provide sufficient detail.」
（【００４３】
　図１３Ａ〜図１３Ｃに示したカレンダアプリケーションの例は単に例示的であり，カレンダ情報は私的環境と仕事環境との間で異なる詳細レベルで共有できる一種の情報に過ぎないことを理解すべきである。例えば，連絡先情報は，同様に考えることができる別の種類の情報である。私的環境内で操作しているユーザは，仕事用携帯機器１０５内に保持される連絡先の名前と電話番号は見ることができるが，連絡先の役職及び電子メールアドレスを得るのは妨げられる場合がある。そのため，着信がユーザの個人回線を介してだが，仕事の連絡先からある場合，発呼者として仕事の連絡先が識別できるという２つの環境間の十分な情報の共有がある。２つの環境間で幾らかの連絡先情報を共有することが有用であり得るもう１つの例は，私的環境から仕事の連絡先に又は仕事環境から私的連絡先にユーザによって発呼される通話である。そのような事例では，私的連絡先への通話が個人用無線加入プランを使用し，仕事の連絡先への通話が仕事用無線加入プランを使用するように，環境内にトランスペアレント・スイッチ（transparent switch）があるべきである。私的環境と仕事環境との間の一定の共有の利益を受けることができるアプリケーションのもう１つの例は，ピクチャギャラリー・アプリケーション（picture gallery application）などのマルチメディア・アプリケーションである。例えば雇用主は，仕事関連のピクチャギャラリーからの画像が，より低い解像度で私的なピクチャギャラリーによってアクセスされることを許可することができる。例えばユーザの仕事関連のピクチャギャラリーが機密の建築設計（architectural design）及び詳細な建築設計を含む場合，低解像度バージョンは十分な詳細を与えないので，私的環境内でアクセス可能な低解像度バージョンの設計によって設計の機密性が損なわれることはない。）
　
Ｆ．「[0071] It should be recognized that the flow of FIG.14 is merely exemplary of how data can be filtered and shared between the personal and work environments to provide user interface capabilities such as those depicted in FIGS.13A-13C. In particular, 
FIG.14 depicts a flow to share data between the personal and work environments when the file systems of host OS 120 and guest OS 170 are separated and cannot be accessed by the other operating system (e.g., work device image 160 which represents the virtual disk accessible by work mobile device 105 is an encrypted file stored on the file system of host OS 120, but can only be accessed by guest OS 170 and not host OS 120 due to such encryption)
（【００４８】
　図１４のフローは，図１３Ａ〜図１３Ｃに示すようなユーザインターフェイス機能を提供するために，どのようにデータをフィルタし，私的環境と仕事環境との間で共有できるのかについての例示に過ぎないことを理解すべきである。具体的には，
図１４は，ホストＯＳ１２０のファイルシステムとゲストＯＳ１７０のファイルシステムとが分かれており，他方のオペレーティングシステムによってアクセスできない（例えば仕事用携帯機器１０５によってアクセス可能な仮想ディスクを表す仕事用機器イメージ１６０はホストＯＳ１２０のファイルシステム上に記憶された暗号化ファイルだが，かかる暗号化のためゲストＯＳ１７０によってのみアクセス可能であり，ホストＯＳ１２０はアクセスできない）場合の，私的環境と仕事環境との間でデータを共有するためのフローを示す
　
Ｇ．「
」
　
Ｈ．「
」
　
２．当審拒絶理由に引用された，本願の第１国出願前に既に公知である，国際公開第２０１３／０６１１５６号（国際公開日；２０１３年５月２日，以下，これを「引用文献２」という）には，関連する図面と共に，次の事項が記載されている。
　
Ｉ．「Persona Switching 
 
 [0073] Switching between personas in the systems and methodologies described herein typically involves changing the state of a persona from background to foreground. This may be accomplished in a variety of ways. For example, switching may be accomplished through an appropriate finger gesture, as by tapping on the tab of a background persona. Switching may also be accomplished by using a hardware button or combination of buttons, such as double-clicking on the home button of the mobile technology platform.」
（本明細書で説明されるシステム及び方法論におけるペルソナの切り替えは，通常，ペルソナの状態をバックグランドからフォアグランドに変更することを伴う。これは，様々な方法で実現できる。たとえば，切り替えは，背景のペルソナのタブをタップするなどの，適当な指のジェスチャで実行できる。切り替えは，モバイル・テクノロジ・プラットフォームのホームボタンをダブルクリックするなど，ハードウェアボタンの組み合わせを使用して行うこともできる。当審にて訳出）
　
３．当審拒絶理由に引用された，本願の第１国出願前に既に公知である，特開２００９−１１６８８９号公報（２００９年５月２８日公開，以下，これを「引用文献３」という）には，関連する図面と共に，次の事項が記載されている。
　
Ｋ．「【００５８】
　つまり，認証領域１４は，ＣＰＲＭ技術のライセンスを受けたアプリケーションからのみアクセス可能であり，通常のアプリケーションからはアクセス不可能な隠し領域である。この認証領域１４を第１の記憶領域という。」
　
第５．引用文献１に記載の発明
１．上記Ａの「Personal mobile device 100 may be smartphone, a tablet computing device, and in general any computing device that is portable and configured for wireless connectivity with a network. Personal mobile device 100, conceptually, provides access to a completely separate work mobile device 105 that is generally isolated and operates separately from personal mobile device 100 (illustrated in dashed lines to indicate the work mobile device 105 is running as a software component inside personal mobile device 100)（個人用携帯機器１００は，スマートフォン，タブレットコンピューティング装置，及び一般的に携帯可能であり，ネットワークと無線通信するように構成される任意のコンピューティング装置とすることができる。個人用携帯機器１００は，個人用携帯機器１００から全体的に分離され，別々に動作する完全に別の仕事用携帯機器１０５へのアクセスを概念的に提供する（仕事用携帯機器１０５が個人用携帯機器１００内のソフトウェアコンポーネントとして実行されていることを示すために破線で示す））」という記載から，引用文献１には，
“仕事用携帯機器１０５が，ソフトウェアコンポーネントとして実行される個人用携帯機器１００”が記載されていることが読み取れる。
　
２．上記Ａの「The mobile device shown in FIG.1A is a personal mobile device 100 having a touch screen 101 and a plurality of keys 102（図１Ａに示す携帯機器は，タッチスクリーン１０１及び複数のキー１０２を有する個人用携帯機器１００である）」という記載と，上記Ｇに引用した【図１Ａ】に開示の事項から，引用文献１においては，
“個人用携帯機器１００は，複数のキー１０２”を有するものであることが読み取れる。
　
３．上記Ｂの「FIG.2 illustrates one embodiment of UI environments for personal mobile device 100 and work mobile device 105 and a mechanism for switching between the two. As depicted, a personal environment for personal mobile device 100 includes a personal desktop 210 that includes icons for a variety of installed applications accessible from personal mobile device 100（図２は，個人用携帯機器１００及び仕事用携帯機器１０５のＵＩ環境の一実施形態，及びそれらの間で切替えを行うためのメカニズムを示す。図示のように，個人用携帯機器１００の私的環境は，個人用携帯機器１００からアクセス可能な様々なインストール済みアプリケーション用のアイコンを含む個人用デスクトップ２１０を含む）」という記載，同じく，上記Ｂの「When the user touches work icon 200 in the personal environment, touch screen 101 switches to a work environment for work mobile device  105  and displays a work desktop 215（ユーザが私的環境内で仕事アイコン２００に触れると，タッチスクリーン１０１が仕事用携帯機器１０５の仕事環境に切り替わり，仕事用デスクトップ２１５を表示する）」という記載，及び，上記Ｃの「The process begins at step 302 when host OS 120 (e.g., by way of a launcher application in one embodiment) receives user indication of a switch from personal mobile device 100 to work mobile device 105. The user indication, as noted above, may be a user selection of work icon 200 on personal desktop 210. In response to the user indication of the switch (e.g., selection of work icon 200), at step 304, host OS 120 requests UI proxy 155 to launch or wake up. For example, a launch action associated with work icon 200 causes host OS 120 to launch (or wake up) UI proxy 155 in a manner similar to launch actions for other icons displayed in personal desktop 210 for other applications 135（このプロセスは，ホストＯＳ１２０が，（例えば一実施形態ではランチャアプリケーションにより）個人用携帯機器１００から仕事用携帯機器１０５への切替えのユーザ指示を受け取るステップ３０２から始まる。上記のユーザ指示は，個人用デスクトップ２１０上の仕事アイコン２００のユーザによる選択とすることができる。切替えについてのユーザ指示（例えば仕事アイコン２００の選択）に応答し，ステップ３０４で，ホストＯＳ１２０がＵＩプロキシ１５５に起動するか又はウェイクアップするように要求する。例えば，仕事アイコン２００に関連する起動動作は，他のアプリケーション１３５用に個人用デスクトップ２１０内に表示される他のアイコンの動作を起動するのと似た方法で，ホストＯＳ１２０にＵＩプロキシ１５５を起動（又はウェイクアップ）させる）」という記載から，引用文献１においては，
“操作することで，前記個人用携帯機器１００から前記仕事用携帯機器１０５へ，あるいは，前記仕事用携帯機器１０５から前記個人用携帯機器１００へ環境切替えを行うことができる”ものであることが読み取れる，
　
４．上記Ａの「in one embodiment, work mobile device 105 operates as a virtual machine running within a virtualization platform that is itself running on top of the operating system of personal mobile device 100. As further detailed in FIG.1B, personal mobile device 100 comprises hardware 110 that includes a framebuffer 115 that stores display data and drives the user interface display on touch screen 101. Personal mobile device 100 also includes firmware that includes host operating system (OS) 120, and host applications 135 running on top of host OS 120. In one embodiment, host OS 120 is the AndroidＴＭ operating system provided by Google, Inc., and includes a composite window manager 125 (known in the Android operating system as SurfaceFlinger) that manages and controls access by host applications 135 to framebuffer 115 for display of user interfaces on touch screen 101（一実施形態では仕事用携帯機器１０５が，個人用携帯機器１００のオペレーティングシステム上で実行される仮想化プラットフォーム内で実行される仮想マシンとして動作する。図１Ｂに更に詳細に示すように，個人用携帯機器１００は，表示データを記憶しタッチスクリーン１０１上でユーザインターフェイス表示を駆動する，フレームバッファ１１５を含むハードウェア１１０を含む。個人用携帯機器１００は，ホストオペレーティングシステム（ＯＳ）１２０，及びホストＯＳ１２０上で実行されるホストアプリケーション１３５を含むファームウェアも含む。一実施形態では，ホストＯＳ１２０がグーグル株式会社（Ｇｏｏｇｌｅ，Ｉｎｃ．）によって提供されるアンドロイド（Ａｎｄｒｏｉｄ）（商標）オペレーティングシステムであり，タッチスクリーン１０１上にユーザインターフェイスを表示するための，ホストアプリケーション１３５によるフレームバッファ１１５へのアクセスを管理し制御する，（アンドロイド（Ａｎｄｒｏｉｄ）オペレーティングシステムではサーフェイスフリンガ（ＳｕｒｆａｃｅＦｌｉｎｇｅｒ）として知られる）複合ウィンドウマネージャ１２５を含む）」という記載，上記Ｄの「In addition to switching between personal and work environments utilizing work and personal icons as in FIG.2 or swiping motions as in FIG.4 or utilizing a unified home screen as in FIG. 5A, alternative embodiments may utilize other techniques to switch between personal and work environments. FIGS.6A and 6B illustrate another alternative user interface for such switching. In  FIG.6A, personal mobile device 100 includes a notification bar 220 having a work icon 600 for switching the user to work mobile device 105. Similarly, FIG.6B illustrates a user interface for work mobile device 105 that includes notification bar 220 having a personal icon 605 for switching the user to personal mobile device 100（図２にあるような仕事アイコン及び個人アイコン，図４にあるようなスワイプ動作，又は図５Ａにあるような統合ホームスクリーンを利用して私的環境と仕事環境とを切り替えることに加え，代替的実施形態は私的環境と仕事環境とを切り替えるための他の技法を利用しても良い。図６Ａ及び図６Ｂは，かかる切替えのための別の代替的ユーザインターフェイスを示す。図６Ａでは，個人用携帯機器１００が，ユーザを仕事用携帯機器１０５に切り替えるための仕事アイコン６００を有する通知バー２２０を含む。同様に図６Ｂは，ユーザを個人用携帯機器１００に切り替えるための個人アイコン６０５を有する，通知バー２２０を含む仕事用携帯機器１０５のユーザインターフェイスを示す）」という記載，及び��上記Ｈに引用した【図２】に開示の事項から，引用文献１においては，
“操作するためのアイコンを含む個人用携帯機器１００のＵＩ環境である「私的環境」，及び，仕事用携帯機器１０５のＵＩ環境である「仕事環境」とを表示する，タッチスクリーン１０１を具備する”ものであることが読み取れる。
　
５．上記Ｆの「 FIG.14 depicts a flow to share data between the personal and work environments when the file systems of host OS 120 and guest OS 170 are separated and cannot be accessed by the other operating system (e.g., work device image 160 which represents the virtual disk accessible by work mobile device 105 is an encrypted file stored on the file system of host OS 120, but can only be accessed by guest OS 170 and not host OS 120 due to such encryption)（図１４は，ホストＯＳ１２０のファイルシステムとゲストＯＳ１７０のファイルシステムとが分かれており，他方のオペレーティングシステムによってアクセスできない（例えば仕事用携帯機器１０５によってアクセス可能な仮想ディスクを表す仕事用機器イメージ１６０はホストＯＳ１２０のファイルシステム上に記憶された暗号化ファイルだが，かかる暗号化のためゲストＯＳ１７０によってのみアクセス可能であり，ホストＯＳ１２０はアクセスできない）場合の，私的環境と仕事環境との間でデータを共有するためのフローを示す）」という記載から，引用文献１に記載された技術の分野においては，必要に応じて，
“アクセスできないように構成する”ことが周知であることが，引用文献１から読み取れる。
　
６．以上，上記１．〜５．において検討した事項から，引用文献１には，次の発明（以下，これを「引用発明」という）が記載されているものと認める。
　
「仕事用携帯機器１０５が，ソフトウェアコンポーネントとして実行される個人用携帯機器１００であって，
　前記個人用携帯機器１００は，複数のキー１０２と，
　操作することで，前記個人用携帯機器１００から前記仕事用携帯機器１０５へ，あるいは，前記仕事用携帯機器１０５から前記個人用携帯機器１００へ環境切替えを行うことができ，
　操作するためのアイコンを含む個人用携帯機器１００のＵＩ環境である「私的環境」，及び，仕事用携帯機器１０５のＵＩ環境である「仕事環境」とを表示する，タッチスクリーン１０１と，
　を具備する個人用携帯機器１００。」
　
第６．本願発明と引用発明との対比
１．引用発明における「個人用携帯機器１００のＵＩ環境である「私的環境」，及び，仕事用携帯機器１０５のＵＩ環境である「仕事環境」」が，
　本願発明における「複数の動作ステータス」に相当し，
　引用発明における「個人用携帯機器１００」は，上記「個人用携帯機器１００のＵＩ環境である「私的環境」，及び，仕事用携帯機器１０５のＵＩ環境である「仕事環境」」を有するものであるから，
　引用発明における「仕事用携帯機器１０５が，ソフトウェアコンポーネントとして実行される個人用携帯機器１００」が，
　本願発明における「複数の動作ステータスを有するモバイル通信装置（１０）」に相当する。
　
２．引用発明における「個人用携帯機器１００」が,「筐体」を有することは明らかであって，
　引用発明が有する「筐体」が，
　本願発明における「筐体（１２）」に相当する。
　
３．引用発明において，「タッチスクリーン」は，「操作することで，前記個人用携帯機器１００から前記仕事用携帯機器１０５へ，あるいは，前記仕事用携帯機器１０５から前記個人用携帯機器１００へ環境切替えを行うことができ」るものであって，上記２．において言及した「個人用携帯機器１００」の「筐体」に接続されていることは，明らかであり，
　また，「前記仕事用携帯機器１０５から前記個人用携帯機器１００へ環境切替えを行う」ことは，動作ステータスの変更を行うことに他ならないから，
　本願発明における「筐体に接続された入力装置（１７）であって，前記入力装置（１７）を作動することにより，ユーザは前記動作ステータスの変更および検証のうち少なくとも１つを行うことができる，入力装置（１７）」と，
“筐体に接続された入力手段であって，前記入力手段を作動することにより，ユーザは動作ステータスの変更を行うことができる，入力手段」である点で共通する。
　
４．引用発明において，「タッチスクリーン」は，「操作するためのアイコンを含む個人用携帯機器１００のＵＩ環境である「私的環境」，及び，仕事用携帯機器１０５のＵＩ環境である「仕事環境」とを表示する」するものであって，
　引用発明における「私的環境」を表示している状態の「タッチスクリーン」と，「仕事環境」を表示している状態の「タッチスクリーン」と，
　本願発明における「モバイル通信装置（１０）で実行されている前記第１のペルソナ（１１０）に関連付けられた第１の視覚的インジケータ（１９）と前記モバイル通信装置（１０）で実行されている前記第２のペルソナ（１２０）に関連付けられた第２の視覚的インジケータ（２１）」とは，
“モバイル通信装置（１０）で実行されている第１の状態に関連付けられた表示部と，前記モバイル通信装置（１０）で実行されている第２の状態に関連付けられた第２の表示手段”である点で共通し，
　引用発明において，「タッチスクリーン」は，上記３．において検討した，「入力手段を作動させること」の結果を表示するものであり，当該「結果」が，
　本願発明における「フィードバック」に相当するものであって，
　引用発明における「タッチスクリーン」の“入力機能”と，“表示機能”が通信していることは，明らかであるから，
　引用発明における“入力手段を作動させた結果を表示するタッチスクリーン”と
　本願発明における「入力装置（１７）と通信して接続され，前記モバイル通信装置（１０）の前記動作ステータスに基づいてフィードバックを前記ユーザに提供するように構成されたインジケータ（１９，２１）」とは，
“入力手段と通信して接続され，モバイル通信装置（１０）の動作ステータスに基づいてフィードバックを提供するように構成された表示手段”である点で共通する。
　
５．以上，上記１．〜上記４．において検討した事項から，本願発明と，引用発明との，一致点，及び，相違点は，次のとおりである。
　
［一致点］
　複数の動作ステータスを有するモバイル通信装置（１０）であって，
　筐体（１２）と，
　前記筐体に接続された入力手段であって，前記入力手段を作動することにより，ユーザは動作ステータスの変更を行うことができる，入力手段と，
　前記入力手段と通信して接続され，前記モバイル通信装置（１０）の動作ステータスに基づいてフィードバックを提供するように構成された表示手段と，
　を備え，
　前記表示手段は，モバイル通信装置（１０）で実行されている第１の状態に関連付けられた表示手段と，前記モバイル通信装置（１０）で実行されている第２の状態に関連付けられた第２の表示手段とを備える，措置。
　
［相違点１］
“入力手段”，及び，“表示手段”について，
　本願発明においては，「入力装置（１７）」，及び，「インジケータ（１９，２０）」であるのに対して，
　引用発明においては，「タッチスクリーン」である点。
　
［相違点２］
“状態”に関して，
　本願発明においては，「ペルソナ」であるのに対して，
　引用発明においては，「ペルソナ」という用語が用いられていない点。
　
［相違点３］
　本願発明においては，「第１のペルソナが第２のペルソナと通信して接続されるように，前記モバイル通信装置で実行される前記第１のペルソナに含まれる第１の信頼された実行環境と前記モバイル通信装置で実行される前記第２のペルソナに含まれる第２の信頼された実行環境との間で相互信頼が確立され」ているのに対して，
　引用発明においては，そのような構成についての言及がない点。
　
［相違点４］
　本願発明においては，「入力装置（１７）および前記インジケータ（１９，２１）は，前記入力装置および前記インジケータが前記モバイル通信装置（１０）で実行されている信頼されていないコードからアクセス不能であるように，ハードウェアにおいて隔離されている」ものであるのに対して，
　引用発明においては，そのような構成については，特に言及されていない点。
　
第７．相違点についての当審の判断
１．［相違点１］について
　引用発明も，「タッチスクリーン１０１」のほか，入力用の「複数のキー１０２」を有しており，当該「複数のキー」が，通信として，「タッチスクリーン１０１」に接続されていることは明らかである。
　そして，当該「複数のキー１０２」から入力された結果が，「タッチスクリーン１０１」に表示されることも，当業者には自明の事項である。
　よって，［相違点１］は，格別のものではない。
　
２．［相違点２］について
　引用文献２には，「ペルソナ」を切り替える点が記載されていて，上記Ｈに引用した，引用文献１の【図２】に開示されている事項を踏まえると，【図２】において，左側の個人用携帯機器１００から，右側の仕事用携帯機器１０５へと環境切替えを行う場合，引用文献２における「バックグランド」の「ペルソナ」が，引用文献１における「仕事用携帯機器１０５」に相当し，「フォアグランド」の「ペルソナ」が「個人用携帯機器１００」に相当する。
　そして，引用発明も，引用文献２に記載の事項も，携帯端末機器の環境切替えに関する技術であるから，
　引用発明において，引用文献２に記載の事項を参酌して，「ペルソナ」という用語を導入することは，当業者が適宜なし得る事項である。
　よって，［相違点２］は，格別のものではない。
　
３．［相違点３］について
　引用発明においても，「仕事環境」内でアクセス可能なデータを，「私的環境」内でアクセスする場合に，安全性を担保する点について言及されている（上記Ｅに記載の内容を参照）。また，上記Ｆには，「仕事環境」と，「私的環境」との間で「データを共有する」点について言及されている。上記Ｆには，「相互信頼」については言及されていないが，２つの環境間でセキュアな関係が必要な場合に“相互認証”，“暗号化”等を行って安全性を担保することは，セキュリティの技術分野にあっては周知の技術事項である。
　よって，［相違点３］は，格別のものではない。
　
４．［相違点４］について
　当該［相違点４］は，当審拒絶理由において，平成３１年４月２６日付けの手続補正により補正された請求項４について検討した事項と同じものである。
　当該［相違点４］に係る本願発明の構成について，本願明細書の発明の詳細な説明においては，その段落【００４４】に，
「モバイル通信装置１０は（図１に示す）セキュリティ・ボタン１７および／またはＬＥＤ１９および２１のようなセキュリティ機能を備える。当該セキュリティ機能は，入力画面が真正であることの検証を容易にするために，モバイル通信装置１０で実行されている信頼されていないコードからアクセス不能なハードウェアにおいて隔離されている。」
　との記載があるが，「モバイル通信装置１０で実行されている信頼されていないコードからアクセス不能なハードウェアにおいて隔離されている」ことを実現するための具体的構成については，特に言及されていない。
　一方，引用発明においても，「隔絶」される態様は異なるものの，上記「第５．引用文献１に記載の発明」の４．において引用した，上記Ｆの記載にもあるように，必要に応じて，所定の構成に対してアクセスを制限することが，本願の第１国出願前に当業者には広く知られた手法であり，ハードウェア的に隔絶する点も，引用文献を提示するまでもなく，当業者には周知であることは，当審拒絶理由においても指摘したとおりである。
　よって，［相違点４］は，格別のものではない。
　
５．以上，上記１．〜上記４．において検討したとおり，［相違点１］〜［相違点４］は格別のものではなく，そして，本願発明の構成によってもたらされる効果も，当業者であれば当然に予測可能なものに過ぎず格別なものとは認められない。
　よって，本願発明は，引用発明と，引用文献２，及び，引用文献３に記載の技術事項に基づいて，当業者が容易に発明をすることができたものである。
　
第８．むすび
　したがって，本願発明は，本願の特許出願前に日本国内又は外国において頒布された刊行物に記載された発明又は電気通信回線を通じて公衆に利用可能となった発明に基づいて当業者が容易に発明をすることができたものであるので，特許法第２９条第２項の規定により特許を受けることができない。
　
　よって，結論のとおり審決する。